(57)【特許請求の範囲】
【請求項１】
下ケースを有し内部に回路部品を収納し開口部を有する安定器本体と；
安定器本体の開口部を覆う蓋部と、安定器本体の少なくとも一面と間隔を有して形成され
る端子台の取付部と、安定器本体と取付部との間隔に形成される補強部と、安定器本体を
支持する支持脚とを有した上ケースと；
取付部に支持される端子台と；
前記安定器本体と取付部との間隔内に存し、取付部及び補強部によって側面周囲が覆われ、回路部品と端子台を接続するためのリード線と；
を具備することを特徴とする安定器。
【請求項２】
前記補強部は、安定器本体に固定されることを特徴とする請求項１に記載の安定器。
【請求項３】
前記補強部は、安定器本体と取付部の間隔の少なくとも上面を覆うようにして設けたこと
を特徴とする請求項１または２に記載の安定器。
【請求項４】
器具本体と；
請求項１ないし３いずれか一に記載の安定器と；
を具備していることを特徴とする照明装置。
【発明の詳細な説明】
【技術分野】
【０００１】
本発明は、ＨＩＤランプ等の放電灯に用いられる安定器及び安定器を用いた照明装置に関する。
【背景技術】
【０００２】
従来、この種の放電灯に用いられる安定器は、電子安定器等を構成する回路部品を収納し覆うために本体ケースが用いられ、本体ケースから口出し線を引き出して、照明器具の放電灯と電気的に接続し、電源を供給して照明を行うよう構成されている。
【０００３】
しかしながら、口出し線による接続は、電源線や照明器具との電気配線を行う際に、半田付け作業を行ったり、さらには端子台を別個に設けて配線を行っている。このため配線作業が煩雑になる問題が生じている。
【０００４】
この問題を解決するため、例えば、特許文献１に示される安定器が知られている。
【０００５】
特許文献１に示されるものは、本体ケースの両端面に取付部を形成し、両端の取付部にそれぞれ端子台を支持することにより、端子台を安定器に一体的に取り付けて構成したものである。
【特許文献１】意匠登録第１２０６４５５号公報
【発明の開示】
【発明が解決しようとする課題】
【０００６】
しかしながら、特許文献１に示される安定器は、端子台の取付部を本体ケースの両端面を単にＬ字形に一体に折り曲げて形成したもので、電源線等を接続する際に、Ｌ字形の取付部に押圧力がかかって撓み、本体ケースの端面に向かって変形し、商品性を損なう恐れが生じる。
【０００７】
この問題は、ネジ無の速結端子台においては、電線の端子孔への挿入時、及び電線を外す際に使用される解除ボタンの押圧時において、押圧力が一層必要になるが取付部が変形し端子台が動くため強く押すことができない。このため確実な電気接続が行えず、また電線を外す際にも容易に外れない問題が生じる。
【０００８】
このため、この種の端子台を有する安定器においては、端子台の取付部の変形を防止して、端子台を強固に安定器に取り付け、配線作業を確実に行うことができる安定器及び照明装置が要望されており、これを如何に実現するかが重要な課題となっている。
【０００９】
本発明は、上述した問題、課題を解決することを目的とし、端子台を強固に安定器に取り付けることが可能な安定器及び照明装置を提供しようとするものである。
【課題を解決するための手段】
【００１０】
請求項１に記載の安定器の発明は、下ケースを有し内部に回路部品を収納し開口部を有する安定器本体と；安定器本体の開口部を覆う蓋部と、安定器本体の少なくとも一面と間隔を有して形成される端子台の取付部と、安定器本体と取付部との間隔に形成される補強部と、安定器本体を支持する支持脚とを有した上ケースと；取付部に支持される端子台と；前記安定器本体と取付部との間隔内に存し、取付部及び補強部によって側面周囲が覆われ、回路部品と端子台を接続するためのリード線と；を具備することを特徴とする。
【００１１】
本発明によれば、安定器本体と取付部との間隔に形成される補強部により、簡易な構成
で端子台を強固に安定器に取り付けることが可能で、かつ安定器本体を支持する支持脚を
形成したことにより、簡易な構成で安定器を好適な高さに浮かせて設置することが可能で、さらに、回路部品と端子台を接続するためのリード線を、安定器本体と取付部との間隔内に存し、取付部及び補強部によって側面周囲が覆われるようにしたことにより、リード線と端子台との結線部分に埃や水分が付着し難くなり、トラッキング現象などによる短絡が生じ難くなる安定器が構成される。
【００１２】
本発明において、安定器は放電灯を安定的に点灯させるためのものであればよく、例え
ば、インダクタを主体とする電磁機器、電子回路で構成されるインバータなどを許容する
。
【００１３】
端子台は、電源の入力及び放電灯への出力を行うものであればよく、例えば、ネジ無の速結端子台が好適であるが、ネジを使用する形式のものでもよく、さらに組み端子台、連結端子台などでもよく、その形式は限定されない。
【００１４】
端子台は、電源の入力側と放電灯への出力側を一面に構成しても、または分離して構成してもよく、特に分離して構成する場合には、安定器本体の両端面にそれぞれを配置して構成することにより、配線の引き回しを簡素化することも可能となる。
【００１５】
さらに、端子台には、電源の送り端子や、放電灯の点灯、消灯及び調光などを遠隔から操作するための伝送信号を入出力するための端子なども含んで構成してもよい。
【００１６】
端子台の取付部は、安定器本体を構成する本体ケースと一体に形成しても、または別体に形成してもよい。
【００１７】
補強部は、取付部に一体に形成しても、または別体に形成してもよく、要は、安定器本体と取付部の間隔に介在して、取付部が外部からの押圧力で変形しないように設けられていればよい。
【００１８】
補強部は、安定器本体に固定されて構成し、これにより外部からの押圧力及び引張力に対して補強され、取付部の変形を一層防止することが可能となる。
【００２１】
請求項２に記載の発明は、請求項１に記載の安定器において、前記補強部は、安定器本体に固定されることを特徴とする。
【００２２】
本発明によれば、補強部は、安定器本体に固定されることにより、端子台をより一層強固に安定器に取り付けることが可能な安定器が構成される。
【００２３】
請求項３に記載の発明は、請求項１または２に記載の安定器において、前記補強部は、安定器本体と取付部の間隔の少なくとも上面を覆うようにして設けたことを特徴とする。
【００２４】
本発明によれば、補強部は、安定器本体と取付部の間隔の少なくとも上面を覆うようにして設けたことにより、埃や水分の端子台への付着を防止することが可能な安定器が構成される。
【００２５】
請求項４に記載の照明装置の発明は、器具本体と；請求項１ないし３いずれか一に記載の安定器と；を具備していることを特徴とする。
【００２６】
本発明によれば、端子台を強固に安定器に取り付けることが可能な安定器を備えた照明装置が構成される。
【００２７】
本発明において、照明装置は、家庭用、施設用、さらに屋内、屋外等、安定器を用いた全ての照明装置が許容される。
【発明の効果】
【００２９】
請求項１の発明によれば、安定器本体と取付部との間隔に形成される補強部により、簡
易な構成で端子台を強固に安定器に取り付けることができ、配線作業を確実に行うことが
可能となる安定器を提供することができる。
【００３０】
さらに、安定器本体を支持する支持脚を形成したことにより、簡易な構成で安定器を好
適な高さに浮かせて設置することができ、所定の電気絶縁距離を確保し、かつ埃や水分の
端子台への付着を防止することが可能な安定器を提供することができる。
さらに、回路部品と端子台を接続するためのリード線を、安定器本体と取付部との間隔内に存し、取付部及び補強部によって側面周囲が覆われるようにしたことにより、リード線と端子台との結線部分に埃や水分が付着し難くなり、トラッキング現象などによる短絡が生じ難くなる安定器を提供することができる。
【００３１】
請求項２の発明によれば、補強部は、安定器本体に固定されることにより、端子台をよ
り一層強固に安定器に取り付けることができ、配線作業を確実に行うことが可能となる安
定器を提供することができる。
【００３２】
請求項３の発明によれば、補強部は、安定器本体と取付部の間隔の少なくとも上面を覆
うようにして設けたことにより、端子台を強固に安定器に取り付けることができ、配線作
業を確実に行うことが可能と共に、埃や水分の端子台への付着を防止することが可能な安
定器を提供することができる。
【００３３】
請求項４の発明によれば、端子台を強固に安定器に取り付けることが可能な安定器を備
えた照明装置を提供することができる。
【発明を実施するための最良の形態】
【００３４】
以下、本発明の安定器の実施形態につき説明する。
【実施例１】
【００３５】
本実施例は、ＨＩＤランプ等の放電灯に用いられ安定器及び照明装置に係る実施形態であり、その構成を図１〜図８に従い説明する。
【００３６】
１０は、本発明の安定器で、安定器本体１１、端子台の取付部１２、補強部１３及び端子台１４で構成する。
【００３７】
安定器本体１１は、電子安定器を構成する回路部品と、これら回路部品を収納して覆うための本体ケース１１ａで構成する。
【００３８】
本体ケース１１ａは、上面が開放した箱状をなす下ケース１１ｂと、下ケースの上面の開口部を閉塞する蓋部をなす上ケース１１ｃで構成し、下ケース１１ｂ及上ケース１１ｃは、厚さ１．５ｍｍ以上のアルミニウム等からなる熱伝導性の良好な金属板で構成する。
【００３９】
上ケース１１ｃは、長手方向に対向する蓋部の両端部を延長して端子台の取付部１２を一体に形成する。
【００４０】
すなわち、板状をなす上ケース１１ｃの両端部の四隅を面取り状とし、上ケース１１ｃの中央を延長して直角に下方に折り曲げることにより、下ケース１１ｂの両端面１１ｄとの間に間隔Ａを有して取付部１２を一体に形成する。
【００４１】
さらに、取付部１２に補強部１３を一体に形成する。すなわち、取付部１２の垂直部分をなす両側縁部を直角に折り曲げ、下ケース１１ｂの両端面と垂直に当接させる当接部１３ａを形成し、さらにその先端部を下ケース１１ｂの両端面に密着するように直角に折り曲げて、下ケース１１ｂに取り付ける密着部１３ｂを形成し、全体として略Ｌ字形をなす補強部１３を取付部１２に一体に形成する。
【００４２】
さらに、補強部１３の密着部１３ｂを、下ケース１１ｂの両端面１１ｄにネジ１３ｃで固定する。
【００４３】
これにより、安定器本体１１を構成する下ケース１１ｂの両端面１１ｄと取付部１２との間に形成される間隔Ａに、補強部１３が介在して設けられる。
【００４４】
なお、補強部１３は、図３（ａ）の右側面図に示すように、ネジ１３ｃが取り付けられていない右側部分は、下ケース１１ｂに取り付ける密着部１３ｂを省略して、取付部１２と下ケース１１ｂの間隔Ａに介在する当接部１３ａのみで補強部１３を形成している。
【００４５】
なお、この部分の当接部１３ａに、一部に切欠を設けて、例えば、調光制御等を行うためのリード線を、安定器本体１１から直接導出できるように構成する。
【００４６】
図３（ｂ）の左側面図に示すように、他方の端部における補強部１３にはリード線の挿通部は形成していないが、同様に設けるようにしてもよい。
【００４７】
取付部１２の延長部分を、水平方向にさらに直角に折り曲げて支持脚１５を一体に形成し、取付部と支持脚とで略Ｌ字形状をなすように形成する。両端の支持脚１５には一端を開放したＵ字形の取付孔１５ａを２個づつ形成する。
【００４８】
１４は端子台で、電源端子と電源の送り端子の一対２個の入力端子部１４ａを有する入力側端子台１４ｂ（図２中左方の端子台）と、一対２個の出力端子部１４ｃを有する出力側端子台１４ｄ（図２中右方の端子台）からなり、各端子台はネジ無の速結端子台で構成し、各端子部１４ａ、１４ｃに対応して解除ボタン１４ｅがそれぞれ設けられる。
【００４９】
各端子台１４ｂ、１４ｄは、上ケース１１ｃの両端部に一体に形成された垂直面からなる取付部１２に、各端子部１４ａ、１４ｃの電線挿入孔が水平方向に向かうように位置させてネジ１４ｆにより固定して支持する。
【００５０】
箱状をなす下ケース１１ｂには、電子安定器１６が収納設置される。
【００５１】
すなわち、図５及び図６に示すように、回路基板１６ａに回路部品１６ｂを実装して電子安定器１６を構成し、回路基板１６ａを放熱板１６ｃに支持すると共に、回路部品１６ｂの内、大容量トランジスタ等、発熱を伴う部品は放熱板１６ｃに密着させて固定する。
【００５２】
放熱板１６ｃは、アルミニウム等の熱伝導性の良好な金属板で細長い板形状に構成し、その長手方向に沿う垂直な板面に発熱を伴う回路部品１６ｂをネジ１６ｄで個々に固定すると共に、下ケース１１ｂの一方（図５中左方）の内側面に密着させるようにしてネジ１６ｅにより固着する。
【００５３】
これにより、回路部品１６ｂから発生する熱が、アルミニウム等からなる放熱板１６ｃ及び下ケース１１ｂを介して外気に放熱され、回路部品の放熱が促され温度上昇が抑制される。
【００５４】
図中１６ｆは、回路部品を固定するためのネジ１６ｄの先端部を逃がすために下ケース１１ｂの側面に形成された逃がし孔で、この逃がし孔１６ｆの存在により、ネジ１６ｄの先端部及び放熱板１６ｃの一部が外気に露出され、回路部品１６ｂの放熱がより一層効果的に行える。
【００５５】
放熱板１６ｃの略中間部分には、支持片１６ｇが一体に形成され、支持片の下面にネジ１６ｈにより回路基板１６ａが、その板面が水平になるようにして支持される。
【００５６】
１６ｉは、図６及び図７に示すように、放熱板１６ｃの両端部を一体に下方に延長して形成した脚で、回路基板１６ａを支持した放熱板１６ｃを下ケース１１ｂの内側面に固着した際、脚１６ｉが回路基板の下方に突出して下ケースの内底面に当接し、回路基板１６ａと下ケース１１ｂの内底面との間に適正な空間Ｓを保つスペーサの役目をなし、回路基板１６ａとアルミニウム等からなる下ケース１１ｂとの間の適正な電気絶縁距離を保持させる。
【００５７】
なお、電子安定器を構成する回路基板１６ａの入力側端子は、入力側端子台１４ｂの入力端子部１４ａに、回路基板１６ａの出力側端子は出力側端子台１４ｄの出力端子部１４ｃにそれぞれリード線Ｌ１により接続する（図２）。
【００５８】
上記のように電子安定器１６を収納設置した下ケース１１ｂ内には、ピッチ状のコールタールや電気絶縁性を有する合成樹脂が封入されて固化され、回路部品１６ｂや回路基板１６ａが動くことなく確実に支持されると共に、確実な電気絶縁がなされる。
【００５９】
上記のように構成した下ケース１１ｂの上面の開口部に、蓋状をなす上ケース１１ｃが被され、ネジ１１ｅで固定することにより安定器１０が構成される。
【００６０】
なお、図中１１ｆは、放熱板１６ｃを下ケース１１ｂ内側面に固着させるためのネジ１６ｅの先端部を逃がすために、上ケース１１ｃの側面に形成した逃がし孔である（図１）。
【００６１】
次に上記に構成した安定器１０を使用して、図８に示す照明装置を構成するための配線作業を行う手順につき説明する。
【００６２】
図８に示す照明装置は、屋内の天井Ｔに埋め込んで設置され、ＨＩＤランプ１７を光源としたダウンライト形の器具本体１８と、天井裏に設置された本発明の安定器１０からなり、この照明装置が２組設置されている。
【００６３】
まず、安定器１０の出力側を負荷である器具本体１８のＨＩＤランプ１７に接続する。
【００６４】
出力側端子台１４ｄに設けられた一対２個の出力端子部１４ｃに、２組それぞれの照明器具１８のＨＩＤランプ１７に接続された電線の端部を水平方向から押圧して挿入し接続する。
【００６５】
次に、安定器１０の入力側を電源に接続する。
【００６６】
入力側端子台１４ｂに設けられた一対１個の入力端子部１４ａに、電源側の電線の端部を水平方向から押圧して挿入し接続する。
【００６７】
なお、他の一対１個の入力端子部１４ａは、他方の照明装置の電源送り端子として使用する。
【００６８】
この際、各端子台１４ｂ、１４ｄの取付部１２と下ケース１１ｂの両端面１１ｄとの間に形成される間隔Ａに、略Ｌ字形をなす補強部１３が介在している。
【００６９】
このため、電線を各端子部１４ａ、１４ｃに向けて水平方向から押圧して、取付部１２に強い押圧力がかかっても取付部が撓むことがなく、取付部が従来のように本体ケース１１ａの端面１１ｄに向けて変形することがなく、各端子台１４ｂ、１４ｄが動くことなく強固に取り付けられている。
【００７０】
このため、ネジ無の速結端子台において、電線を各端子部に十分な押圧力をもって挿入するこができ、確実な電気接続が行える。
【００７１】
また、この状態で電線を引っ張っても、補強部１３の密着部１３ｂが下ケース１１ｂの両端面１１ｄにネジ１３ｃで固定されているので、引っ張り力によって取付部１２が変形することもない。
【００７２】
また、電線を外す場合には、ドライバー等の工具を使用して各解除ボタン１４ｅを水平方向から押圧して解除するが、この際も工具で取付部１２に強い押圧力をかけても取付部が撓むことがなく、取付部が変形することがない。
【００７３】
このため、ネジ無の速結端子台において、接続された電線を外す際に、十分な押圧力をもって解除ボタン１４ｅを押すことができ、容易かつ確実に電線を外すことができる。
【００７４】
また、電線を外す際に、電線を引っ張っても上記と同様に、取付部１２が引っ張り力によって変形することがない。
【００７５】
上記のように配線された安定器１０を、天井裏に設置するには、取付部１２に一体に形成された支持脚１５の取付孔１５ａを使用して木ネジ等で固定して設置すればよい。
【００７６】
この際、安定器１０と端子台１４を接続するためのリード線Ｌ１は、間隔Ａ内に存し、間隔Ａに対して、上ケース１１ｃの両端部を面取りすることにより形成された台形状の部分が天井となって間隔Ａの上面が覆われると共に、取付部１２及び略Ｌ字形をなす補強部１３によって側面周囲が覆われ、従来のように間隔Ａが開放されリード線Ｌ１が露出した状態となっていないため、リード線Ｌ１と各端子台１４ｂ、１４ｄとの結線部分に埃や水分が付着し難くなり、トラッキング現象などによる短絡が生じ難くなる。
【００７７】
上記実施例によれば、各端子台１４ｂ、１４ｄの取付部１２と下ケース１１ｂの両端面１１ｄとの間に形成される間隔Ａに、略Ｌ字形をなす補強部１３が介在しているため、電線を各端子部１４ａ、１４ｃに向けて水平方向から押圧しても、取付部１２が従来のように変形することがない。このため各端子台１４ｂ、１４ｄが動くことなく強固に取り付けられ、ネジ無の速結端子台において、電線を各端子部に十分な押圧力をもって挿入するこができ、確実な電気接続が行える。
【００７８】
電線を外す際も取付部１２が変形することがなく、ネジ無の速結端子台において、十分な押圧力をもって解除ボタン１４ｅを押すことができ、容易かつ確実に電線を外すことができる。
【００７９】
電線を引っ張っても、補強部１３の密着部１３ｂが下ケース１１ｂの両端面１１ｄにネジ１３ｃで固定されているので、引っ張り力によって取付部１２が変形することもない。
【００８０】
同時に取付部１２が変形することがないため、安定器の商品性を損なうこともない。
【００８１】
取付部１２と補強部１３は、板状をなす上ケース１１ｃの両端部を折り曲げて一体に形成したので、簡易な構成で端子台１４を強固に安定器本体１１に取り付けることができ、コスト的にも有利な安定器を提供することができる。
【００８２】
取付部１２の延長部分を折り曲げて支持脚１５を一体に形成したので、簡易な構成で強固な安定器の支持脚を構成することができ、安定器を好適な高さに確実に浮かせて設置することができ、所定の電気絶縁距離を確保し、かつ埃や水分の端子台への付着を防止することができる。
【００８３】
安定器１０と端子台１４を接続するためのリード線Ｌ１は、上ケース１１ｃが天井となって上面が覆われ、さらに取付部１２及び補強部１３で側面周囲が覆われているので、リード線Ｌ１と端子台１４との結線部分に埃や水分が付着し難くなり、トラッキング現象などによる短絡が生じ難くなる。
【００８４】
放熱板１６ｃの両端部を一体に下方に延長して脚１６ｉを形成したので、簡易な構成で、かつシリコーン等の格別なスペーサを用いることなく使用部品の低減を図った構成で、回路基板１６ａと下ケース１１ｂの内底面との間に適正な空間Ｓを保つことができ、確実な電気絶縁距離を保持することができる。
【００８５】
補強部１３は、一方の先端部分を一部切り欠いてリード線の挿通部を形成するようにすれば、例えば、調光制御等を行うためのリード線を安定器本体１１から直接導出することができ、多様な仕様に合わせた便利な安定器を提供することができる。
【００８６】
以上本実施例において、板状をなす上ケース１１ｃの両端部の四隅を面取り状とし、取付部１２及び補強部１３を一体に形成したが、図９（ａ）に示すように、上ケース１１ｃの両端部を四角を面取り状とすることなく、直角に切り込み、その延長部分を折り曲げて取付部１２及び補強部１３を一体に形成してもよい。さらに、図９（ａ）のように補強部３を支持脚１５の下方まで延長して形成して、補強部の強度を増すようにしてもよい。
【００８７】
また、図９（ｂ）に示すように、上ケース１１ｃの両端部をそのままの幅で延長し、中をくり抜いて折り曲げ、中央部分に取付部１２及び補強部１３を一体に形成し、両側に支持脚１５を一体に形成するようにしてもよい。
【００８８】
本実施例において、上ケース１１ｃに取付部１２及び補強部１３を一体形成したが、図１０（ａ）に示すように、上ケース１１ｃを箱状に、下ケース１１ｂを蓋状に構成し、下ケースに一体に取付部１２及び補強部１３を形成してもよい。
【００８９】
本例においては、金属板からなる下ケース１１ｂの両端部を一体に折り曲げて、上面視で取付部１２と補強部１３がコ字状をなす形状に構成し、左右両端部に支持脚１５が一体に形成してある。
【００９０】
本実施例において、取付部１２及び補強部１３を一体形成したが、図１０（ｂ）に示すように、補強部１３は取付部１２及び補強部１３と別体に構成してもよい。
【００９１】
また、回路基板１６ａと下ケース１１ｂの内底面との間に適正な空間Ｓを保つスペーサの役目を、放熱板１６ｃの両端部を一体に下方に延長して形成した脚１６ｉで構成したが、図１１に示すように構成してもよい。
【００９２】
すなわち、回路基板を構成する方式として、１枚の大きな回路基板２０に、複数の回路基板を平面的に区画形成した分割ライン２０ａに沿って切り離し、１枚づつの単体回路基板２０ｂを構成すようにする。
【００９３】
この際、単位回路基板２０ｂの両端角部に溝状の切欠部２０ｃを４個形成し、さらに余剰部分となる端部にコ字状をなす部品２０ｄを、分割ライン２０ａで区画して、単位回路基板２０ｂあたり４個づつ形成する。
【００９４】
部品２０ｄは、単位回路基板２０ｂに形成した溝状の切欠部２０ｃと同形状の切欠部を形成してコ字状をなす形状に構成する。
【００９５】
上記のように構成した回路基板２０を、各分割線１２ａに沿って切り離し、複数の単位回路基板２０ｂ及び部品２０ｄを形成する。
【００９６】
切り離した単位回路基板２０ｂの溝状の切欠部２０ｃに、コ字状をなす部品２０ｄを直角に交差させて差込み（図１１（ｂ））、単位回路基板２０ｂの両端角部に４個の部品２０ｄを取り付け、単位回路基板２０ｂにおける４個の脚となすように構成する。
【００９７】
上記に構成した単位回路基板２０ｂを下ケース１１ｂの内底面に装着して、適正な空間Ｓを保つスペーサの役目をなすようにする（図１１（ｃ））。
【００９８】
本構成によれば、シリコンゴムなどの格別なスペーサを用いることなく、回路基板の余剰部分を活用してスペーサを構成することができ、材料費を低減させることができる。
【００９９】
上述した各変形例における他の構成、配線作業手順及び作用効果等は、上記実施例と同様である。
【０１００】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１０１】
【図１】本発明の実施形態における安定器を示す斜視図。
【図２】同じく安定器の一部を切り欠いて示す正面図。
【図３】同じく安定器の側面を示す図で、（ａ）は右側面図、（ｂ）は左側面図。
【図４】同じく安定器の底面図。
【図５】同じく図２Ａ−Ａ線に沿う断面図。
【図６】同じく安定器の放熱板を示す図で、（ａ）は回路基板及び回路部品を装着した状態の正面図、（ｂ）は放熱板単体の側面図、（ｃ）は同じく放熱板単体の底面図。
【図７】同じく安定器の放熱板に回路基板を支持した状態を、一部を切り欠いて示す斜視図。
【図８】本発明の実施形態における照明装置を概略的に示す説明図。
【図９】本発明の実施形態における安定器の変形例を示す図で、（ａ）は第一の変形例を示す斜視図、（ｂ）は第二の変形例を示す斜視図。
【図１０】同じく安定器の変形例を示す図で、（ａ）は第三の変形例を示す斜視図、（ｂ）は第四の変形例を示す斜視図。
【図１１】同じく回路基板及びスペーサの変形例を示す図で、（ａ）は回路基板の平面図、（ｂ）は組み立て方法を示す斜視図、（ｃ）は組み立てた状態を、一部を断面して示す側面図。
【符号の説明】
【０１０２】
１０   安定器
１１   安定器本体
１１ｂ  下ケース
１１ｃ  上ケース
１２   取付部
１３   補強部
１４   端子台
１５   支持脚
Ａ   間隔
Ｌ１  リード線
【図１】
0004671119.tif 000002
【図２】
0004671119.tif 000003
【図３】
0004671119.tif 000004
【図４】
0004671119.tif 000005
【図５】
0004671119.tif 000006
【図６】
0004671119.tif 000007
【図７】
0004671119.tif 000008
【図８】
0004671119.tif 000009
【図９】
0004671119.tif 000010
【図１０】
0004671119.tif 000011
【図１１】
0004671119.tif 000012